(57)【要約】【課題】本発明の課題は、医薬品が偽造品であるか否かを判定できるシステムを提供することである。【解決手段】包装識別情報を有する包装の二次元コードを撮影して得た包装識別情報を錠剤識別サーバ装置に送信して、返信された暗号キー情報と照合データをＩＣカードに記録する錠剤販売端末装置と、錠剤販売端末装置から受信した前記包装識別情報に対応付けられた個体識別情報を、暗号キー情報で暗号化して、照合データを作成して、前記暗号キー情報とともに返信する錠剤識別サーバ装置と、錠剤の二次元コードを撮影して、個体識別情報を得て、暗号キー情報を用い暗号化して、評価データを作成するＩＣカードと、ＩＣカードが記憶する照合データとＩＣカードが作成する評価データを照合して、両者が一致するか否かを判定する利用端末装置とから構成される錠剤偽造判定システムである。【選択図】図１
2008282274.tif 000002
【特許請求の範囲】
【請求項１】
ＩＣカードを用いて、利用端末装置と、錠剤識別サーバ装置と、錠剤販売端末装置とが、ネットワーク接続されて構成される錠剤偽造判定システムであって、
包装識別情報が二次元コードを用いて記録された錠剤包装に包装された錠剤の偽造を判定する錠剤偽造判定システムであって、
前記錠剤には、個体識別情報が二次元コードを用いて記録されて、
前記錠剤識別サーバ装置は、
前記包装識別情報と前記個体識別情報を対応付けた対応データと暗号キー情報を記憶する記憶手段と、
前記錠剤販売端末装置から前記包装識別情報を受信する包装識別情報受信手段と、
受信した包装識別情報を用いて、対応データの包装識別情報を参照して、両者が一致する時の個体識別情報を選択して、前記暗号キー情報を用いて暗号化して、照合データを作成する第１の暗号化手段と、
前記暗号キー情報と、前記照合データを錠剤販売端末装置に返信する照合データ返信手段とを備えるサーバ装置であって、
前記錠剤販売端末装置は、
前記包装に記録された二次元コードを読取る第1の二次元コード読取手段と、
前記錠剤識別サーバ装置から受信した前記暗号キー情報と前記照合データを前記ＩＣカードに記録する第１のＩＣカード読書き手段と
を備える端末装置であって、
前記ＩＣカードは、
前記暗号キー情報と前記照合データを記憶する記憶手段と、
前記暗号キー情報を用いて、個体識別情報を暗号化して、評価データを作成する第２の暗号化手段と
を備えるＩＣカードであって、
利用端末装置は、
第２の二次元コード読取手段と、
ＩＣカードが記録する前記暗号キーと前記照合データを読み取る第２のＩＣカード読書手段と、
第２の二次元コード読取手段で読取った個体識別情報を用いて、前記第２の暗号化手段で作成した評価データと前記照合データを照合して、一致するか否かを判定する判定手段とを備える利用端末装置である
ことを特徴とする錠剤偽造判定システム。
【請求項２】
前記錠剤識別サーバ装置は、
前記記憶手段が、乱数生成情報を記憶して、
記憶手段から乱数生成情報を読み取って、これを用いて乱数を生成する第１の乱数生成手段と、
受信した前記包装識別情報を用いて、対応データの包装識別情報を参照して、両者が一致する時の個体識別情報を選択して、生成された乱数から数字列を順次取り出して、選択された個体識別情報にパディングするパディング手段と、
を有して、
前記第１の暗号化手段が、記憶手段から暗号キー情報を読み取って、パディングされた個体識別情報を暗号化して、照合データを作成するサーバ装置であって、
前記ＩＣカードは、
前記乱数生成情報を記憶する手段と、
ＩＣカード記録情報の乱数生成情報を用いて乱数を生成する第２の乱数生成手段と、
生成された乱数から数字列を順次取り出して、前記利用端末装置から受信した個体識別情報にパディングするパディング手段と、
を備えて、
前記第２の暗号化手段が、前記暗号キー情報を用いて、パディングされた個体識別情報を暗号化して、評価データを作成するＩＣカードである
ことを特徴とする請求項１に記載の錠剤偽造判定システム。
【請求項３】
請求項１または、請求項２に記載の第２の第二次元コード読取手段であって、
錠剤捕捉スイッチボタンが押されると小型モータが駆動して、関節部を動作させて、錠剤をつまむ錠剤支持部と、
このとき、光源制御部は照明部を点灯させて、錠剤を照らして、複数の斜方方角から錠剤を照らして、レーザー刻印による溝に影を与えて明暗を浮き出させることが出来る照明部と、
錠剤の二次元コードを撮影するカメラと、
カメラが撮影した二次元コードの画像データを利用端末装置に送信する接続部と、
を備えることを特徴と二次元コード読取装置。
【請求項４】
利用端末装置から返信された評価の内容が偽造報告の場合には、赤ランプを点滅させて、返信された評価の内容が真正品報告の場合には、ＬＥＤランプのうちで青ランプを点滅させるＬＥＤ制御部
を備えることを特徴とする請求項３に記載の二次元コード読取装置。
【請求項５】
利用端末装置と判定サーバ装置とが、ネットワーク接続されて構成される錠剤偽造判定システムであって、錠剤の包装には包装識別情報が二次元コードとして記録されて、前記錠剤には個体識別情報が二次元コードとして記録されており、
前記利用端末装置は、
二次元コードを撮影するカメラと、
撮影された包装材料の二次元コード画像を復号して、包装識別情報を生成する包装識別手段と、
撮影された錠剤の二次元コード画像を復号して、個体識別情報を生成して、ＩＣカードに送信する個体識別手段と、
包装識別情報と個体識別情報を対応付けた錠剤データを作成して錠剤識別サーバ装置に送信する錠剤データ送信手段と、
錠剤識別サーバ装置が返信した評価データを受信する評価データ受信手段と、
前記判定サーバ装置は、
包装識別情報と個体識別情報を対応付けた対応データと、を記憶する記憶手段と、
利用端末装置から錠剤データを受信する錠剤データ受信手段と、
受信した錠剤データを用いて、対応データの包装識別情報を照合して、一致するか否かを判定する判定手段と、
判定結果に一致するものが存在しなければ、偽造報告を含む評価を作成して、利用端末装置に送信する、あるいは、判定結果に一致するものが存在すれば、真正品報告を含む評価を作成して、利用端末装置に送信する偽造評価手段と、
を備えるサーバ装置である、
ことを特徴とする錠剤偽造判定システム。
【発明の詳細な説明】
【技術分野】
【０００１】
本発明は、包装された医薬品において、医薬品が真正か偽造かを判定するシステム、二次元コード読取装置に関するものである。
【背景技術】
【０００２】
従来から、錠剤やカプセル剤や内包等の医薬品に識別コードを印刷することで、医薬品のメーカーや製品を特定できるようにしている。
ここで、識別コードとは、錠剤やカプセルや内包に直接に印刷または刻印される文字や絵文字情報であって、会社コードと製品コードから構成される。会社コードは、日本薬連に登録された識別情報である。製品コードは、会社が管理するために用いる特定情報である。
【０００３】
たとえば、特許文献１では、製薬にあたって、可視光の元では不可視な画像を食用インクとして用いてマーキングする技術が開示されている。
【特許文献１】特開２００６−８９７４１号公報（段落００１４−段落００３０、図２）
【発明の開示】
【発明が解決しようとする課題】
【０００４】
ところで、特許文献１の技術では、医薬品のマーキング情報を用いても、真正医薬品であるか、偽造医薬品であるかを判別できないという問題点があった。
【０００５】
本発明はこのような点を解決するためになされたものであって、本発明の課題は、医薬品が偽造品であるか否かを判定できるシステムを提供することである。
【課題を解決するための手段】
【０００６】
本発明は、以下のような解決手段により、前記課題を解決する。すなわち、請求項１の発明は、ＩＣカードを用いて、利用端末装置と、錠剤識別サーバ装置と、錠剤販売端末装置とが、ネットワーク接続されて構成される錠剤偽造判定システムであって、包装識別情報が二次元コードを用いて記録された錠剤包装に包装された錠剤の偽造を判定する錠剤偽造判定システムであって、前記錠剤には、個体識別情報が二次元コードを用いて記録されて、前記錠剤識別サーバ装置は、前記包装識別情報と前記個体識別情報を対応付けた対応データと暗号キー情報を記憶する記憶手段と、前記錠剤販売端末装置から前記包装識別情報を受信する包装識別情報受信手段と、受信した包装識別情報を用いて、対応データの包装識別情報を参照して、両者が一致する時の個体識別情報を選択して、前記暗号キー情報を用いて暗号化して、照合データを作成する第１の暗号化手段と、前記暗号キー情報と、前記照合データを錠剤販売端末装置に返信する照合データ返信手段とを備えるサーバ装置であって、前記錠剤販売端末装置は、前記包装に記録された二次元コードを読取る第1の二次元コード読取手段と、前記錠剤識別サーバ装置から受信した前記暗号キー情報と前記照合データを前記ＩＣカードに記録する第１のＩＣカード読書き手段とを備える端末装置であって、前記ＩＣカードは、前記暗号キー情報と前記照合データを記憶する記憶手段と、前記暗号キー情報を用いて、個体識別情報を暗号化して、評価データを作成する第２の暗号化手段とを備えるＩＣカードであって、利用端末装置は、第２の二次元コード読取手段と、ＩＣカードが記録する前記暗号キーと前記照合データを読み取る第２のＩＣカード読書手段と、第２の二次元コード読取手段で読取った個体識別情報を用いて、前記第２の暗号化手段で作成した評価データと前記照合データを照合して、一致するか否かを判定する判定手段とを備える利用端末装置であることを特徴とする錠剤偽造判定システムである。
【０００７】
このように、包装された錠剤の識別情報と包装の識別情報の組み合わせが、錠剤識別サーバ装置の対応データと一致するか否かで、真贋を判定することができる。
【０００８】
請求項２の発明は、前記錠剤識別サーバ装置は、前記記憶手段が、乱数生成情報を記憶して、記憶手段から乱数生成情報を読み取って、これを用いて乱数を生成する第１の乱数生成手段と、受信した前記包装識別情報を用いて、対応データの包装識別情報を参照して、両者が一致する時の個体識別情報を選択して、生成された乱数から数字列を順次取り出して、選択された個体識別情報にパディングするパディング手段とを有して、前記第１の暗号化手段が、記憶手段から暗号キー情報を読み取って、パディングされた個体識別情報を暗号化して、照合データを作成するサーバ装置であって、前記ＩＣカードは、前記乱数生成情報を記憶する手段と、ＩＣカード記録情報の乱数生成情報を用いて乱数を生成する第２の乱数生成手段と、生成された乱数から数字列を順次取り出して、前記利用端末装置から受信した個体識別情報にパディングするパディング手段と、を備えて、前記第２の暗号化手段が、前記暗号キー情報を用いて、パディングされた個体識別情報を暗号化して、評価データを作成するＩＣカードであることを特徴とする請求項１に記載の錠剤偽造判定システムである。
【０００９】
請求項３の発明は、請求項１または、請求項２に記載の第２の第二次元コード読取手段であって、錠剤捕捉スイッチボタンが押されると小型モータが駆動して、関節部を動作させて、錠剤をつまむ錠剤支持部と、このとき、光源制御部は照明部を点灯させて、錠剤を照らして、複数の斜方方角から錠剤を照らして、レーザー刻印による溝に影を与えて明暗を浮き出させることが出来る照明部と、錠剤の二次元コードを撮影するカメラと、カメラが撮影した二次元コードの画像データを利用端末装置に送信する接続部と、を備えることを特徴と二次元コード読取装置である。
【００１０】
請求項４の発明は、利用端末装置から返信された評価の内容が偽造報告の場合には、赤ランプを点滅させて、返信された評価の内容が真正品報告の場合には、ＬＥＤランプのうちで青ランプを点滅させるＬＥＤ制御部を備えることを特徴とする請求項３に記載の二次元コード読取装置である。
【００１１】
請求項５の発明は、利用端末装置と判定サーバ装置とが、ネットワーク接続されて構成される錠剤偽造判定システムであって、錠剤の包装には包装識別情報が二次元コードとして記録されて、前記錠剤には個体識別情報が二次元コードとして記録されており、前記利用端末装置は、二次元コードを撮影するカメラと、撮影された包装材料の二次元コード画像を復号して、包装識別情報を生成する包装識別手段と、撮影された錠剤の二次元コード画像を復号して、個体識別情報を生成して、ＩＣカードに送信する個体識別手段と、包装識別情報と個体識別情報を対応付けた錠剤データを作成して錠剤識別サーバ装置に送信する錠剤データ送信手段と、錠剤識別サーバ装置が返信した評価データを受信する評価データ受信手段と、前記判定サーバ装置は、包装識別情報と個体識別情報を対応付けた対応データと、を記憶する記憶手段と、利用端末装置から錠剤データを受信する錠剤データ受信手段と、受信した錠剤データを用いて、対応データの包装識別情報を照合して、一致するか否かを判定する判定手段と、判定結果に一致するものが存在しなければ、偽造報告を含む評価を作成して、利用端末装置に送信する、あるいは、判定結果に一致するものが存在すれば、真正品報告を含む評価を作成して、利用端末装置に送信する偽造評価手段と、
を備えるサーバ装置である、ことを特徴とする錠剤偽造判定システムである。
【発明の効果】
【００１２】
本願発明によれば、錠剤が真正品であるか偽造品であるかを判定することが可能である。
【発明を実施するための最良の形態】
【００１３】
以下、図面等を参照しながら、本発明の実施の形態について、更に詳しく説明する。
【００１４】
図１は、錠剤偽造判定システム１の概要を説明する図である。錠剤偽造判定システム１は、ＩＣカード６００を用いて、錠剤が真正品であるか偽造品であるかを判定するシステムである。錠剤偽造判定システム１は、錠剤検査器５００が接続された利用端末装置７００と、錠剤識別サーバ装置１００と、錠剤販売端末装置３００と、ネットワーク９００接続されて構成される。
【００１５】
錠剤識別サーバ装置１００は、錠剤を包装している包装を識別する情報（包装識別情報）と個体識別情報とを対応付けた情報を記憶する。
錠剤識別サーバ装置１００は、コンピュータプログラムによって制御されるサーバコンピュータである。
【００１６】
錠剤販売端末装置３００は、二次元コードスキャナ（第１の二次元コード読取手段）と、ＩＣカードリーダライタ（第１のＩＣカード読書手段）を備える。二次元コードスキャナを用いて錠剤の包装に二次元コードとして記録されている包装識別情報を読取ることができる。ＩＣカードリーダライタは、錠剤の購入者のＩＣカードに、購入した錠剤が正規品、偽造品かを判断するための照合情報を書き込む。
【００１７】
利用端末装置７００は、ＩＣカードリーダライタ（第２のＩＣカード読書手段）を備える。利用端末装置７００に接続される錠剤検査器５００（第２の二次元コード読取手段、二次元コード読取装置）は、二次元コードを読み取るカメラを備える。ＩＣカードリーダライタ（第２のＩＣカード読書手段）は、錠剤を購入者のＩＣカードから、照合情報を読取る。錠剤検査器５００（第２の二次元コード読取手段）は錠剤に記録されている個体識別情報を読取る。
【００１８】
錠剤販売端末装置３００と利用端末装置７００は、コンピュータプログラムによって制御されるパーソナルコンピュータである。
【００１９】
錠剤が包装されたＰＴＰ８００には、二次元コードが記録されている。ＰＴＰに記録された二次元コードは、包装を識別する情報（包装識別情報。以下、Ｐ―ＩＤ）を含んだ符号化情報である。
【００２０】
錠剤検査器５００（以下、ピンセット）は、錠剤に印字されている二次元コードを読み取る二次元コードリーダを備える。
【００２１】
錠剤には、二次元コードが記録されている。錠剤に記録された二次元コードは、個体識別情報（以下、Ｔ−ＩＤ）を含んだ符号化情報である。
【００２２】
ＩＣカード６００は、暗号化プログラムと、暗号化キーを記憶する。なお、ＩＣカード６００は、ＩＣカード化された健康保険証や医療機関の診療カードを用いてもよい。
【００２３】
ピンセット５００は、購入した錠剤の偽造を判定するために、錠剤の二次元コードを撮影して、二次元コードデータを利用端末装置７００に送信する。
なお、錠剤は、薬瓶に詰められていてもよい。この薬瓶は、包装を識別するＰ―ＩＤの二次元コードを記録してもよいし、ＲＦＩＤにＰ―ＩＤを記録して薬ビンにとりつけてもよい。
なお、錠剤の代わりにカプセルや、内包でもよい。
【００２４】
図２は錠剤識別サーバ装置の詳細図である。錠剤識別サーバ装置１００は、メモリ（＝記憶手段）１０９とＩＰ通信部１０３と専用プログラムから構成される。メモリ１０９は、Ｐ―ＩＤ１９１とＴ−ＩＤ１９３を対応付けた対応データ１９５と、暗号キー情報１９７と、乱数生成情報１９８と、を記憶する。ＩＰ通信部１０３は、他の装置のＩＰ通信部と接続する。
【００２５】
専用プログラムは、包装識別情報受信手段１５０と、暗号化手段１１０（第１の暗号化手段）と、ＩＣカード記録情報返信手段１２０と、パディング手段１３０と、乱数生成手段１４０と、から構成される。
【００２６】
包装識別情報受信手段１５０は、錠剤販売端末装置３００から包装識別情報Ｐ―ＩＤ３９１を受信する。
【００２７】
乱数生成手段１４０は、記憶手段から乱数生成情報１９８を読み取って、これを用いて乱数を生成する。パディング手段１３０は、受信したＰ―ＩＤ３９１を用いて、対応データ１９５のＰ―ＩＤ１９１を参照して、両者が一致する時の錠剤のＴ−ＩＤ１９３を選択して、生成された乱数から数字列を順次取り出して、選択されたＴ−ＩＤ１９３にパディングする。
【００２８】
暗号化手段１１０（第１の暗号化手段）は、記憶手段から暗号キー情報１９７を読み取って、パディングされたＴ−ＩＤ１９３を暗号化して、照合データ１９２を作成する。
【００２９】
ＩＣカード記録情報送信手段１２０は、読み取った乱数生成情報１９８と、読み取った暗号キー情報１９７と、作成された照合データ１９２とを含むＩＣカード記録情報１９４を作成して錠剤販売端末装置３００に返信する。
【００３０】
図３は、錠剤販売端末装置３００の詳細図である。錠剤販売端末装置３００は、ＩＰ通信部３０３と、ＩＣカードリーダライタ３０４（第１のＩＣカード読書手段）と、二次元コード読取手段３０５（第１の二次元コード読取手段）と、メモリ３０９と専用プログラムから構成される。ＩＰ通信部３０３は、他の装置のＩＰ通信部と接続する。
【００３１】
専用プログラムは、包装識別情報送信手段３５０と、ＩＣカード記録手段３２０と、から構成される。
包装識別情報送信手段３５０は、錠剤の包装８００から二次元コード読取手段（第２の二次元コート読取手段）で撮影された二次元コードから読み取られた包装識別情報Ｐ―ＩＤ３９１を錠剤識別サーバ装置１００に送信する。
ＩＣカード記録手段３２０は、錠剤識別サーバ装置１００が返信した暗号キー情報１９７、乱数生成情報１９８、照合データ１９９を受信して、ＩＣカード６００に記録する。
【００３２】
図４は利用端末７００の詳細図である。利用端末装置７００は、ＩＰ通信部７０３と、ＩＣカードリーダライタ７０４（第２のＩＣカード読書手段）と、二次元コード読取手段７０５（第２の二次元コード読取手段と、ピンセット接続部７０６と、スピーカ部７０７と、表示部７０８と、メモリ７０９と専用プログラムから構成される。ＩＰ通信部７０３は、他の装置のＩＰ通信部と接続する。ピンセット接続部７０５は、ピンセット５００と通信接続する。
【００３３】
専用プログラムは、包装識別手段７５０と、個体識別手段７６０と、ＩＣカード記録情報読取手段７２０と、暗号化手段７１０と、パディング手段７３０と、乱数生成手段７４０と、判定手段７７０と、から構成される。
【００３４】
包装識別手段７５０は、包装材料の二次元コード画像を二次元コード読取手段７０５（第２の二次元コード読取手段）から受信して、これを復号して、Ｐ―ＩＤ７９１を生成して、ＩＣカード６００に送信する。個体識別手段７６０は、錠剤の二次元コード画像をピンセット５００から受信して、復号して、Ｔ−ＩＤ７９３を生成して、ＩＣカード６００に送信する。ＩＣカード記録情報読取手段７２０は、ＩＣカード６００が記録するＩＣカード記録情報１９４を読み取る。
【００３５】
評価データ受信手段７９０は、ＩＣカード６００が返信した評価データ６９６を受信する。
【００３６】
判定手段７７０は、ＩＣカード記録情報１９４の照合データ１９２と受信した評価データ６９６照合して、一致するか否かを判定する。偽造評価手段７８０は、判定結果に一致するものが存在しなければ、偽造報告を含む評価を作成して、ピンセット５００に送信する。あるいは、偽造評価手段７８０は、判定結果に一致するものが存在すれば、真正品報告を含む評価を作成して、ピンセット５００に送信する。
【００３７】
表示部５０８は、評価の内容を表示する。
判定結果が偽造報告の場合には、スピーカ部７０７を鳴らして、警告音を発する。
【００３８】
図５はＩＣカード６００の構成図である。ＩＣカード６００は、接触端子部６０７と、アンテナ６０８と、メモリ６０９と専用プログラムから構成される。
接触端子部６０７と、アンテナ６０８とは、ＩＣカードリーダライタ３０４（第１のＩＣカード読書手段）／ＩＣカードリーダライタ７０４（第２のＩＣカード読書手段）とデータ通信する。
メモリ６０９は、乱数生成情報１９８と、暗号キー情報１９７と、照合データ１９２とを含むＩＣカード記録情報１９４を記憶する。
【００３９】
専用プログラムは、乱数生成手段６４０と、パディング手段６３０と、暗号化手段６１０(第２の暗号化手段)と、から構成される。
【００４０】
乱数生成手段６４０は、ＩＣカード記録情報１９４の乱数生成情報１９８を用いて乱数を生成する。パディング手段６３０は、生成された乱数から数字列を順次取り出して、利用端末装置７００から受信したＴ−ＩＤ７９３にパディングする。
【００４１】
暗号化手段６１０（第２の暗号化手段）は、ＩＣカード記録情報１９４の暗号キー情報１９７を用いて、パディングされたＴ−ＩＤ７９３を暗号化して、評価データ６９６を作成して、利用端末装置７００に返信する。
【００４２】
なお、暗号化手段１１０（第１の暗号化手段）と暗号化手段６１０（第２の暗号化手段）は、暗号化されたＴ−ＩＤ１９７／７９３にハッシュ関数を適用してハッシュ値を算出してから、このハッシュ値を用いて、照合データ１９２／評価データ６９６を作成してもよい。
【００４３】
また、二次元画像の復号は、ピンセット５００が行ってもよい。
【００４４】
図６は、錠剤検査器（ピンセット）５００の詳細な構成図である。ピンセット５００は、ＬＥＤ５０１と、小型モータ（関節制御部）５０２と、回転伝達部５０３と、光源制御部５０５と、照明部５０６と、カメラ５０７と、ＬＥＤ制御部５０８と、接続部（信号・電源）５０９と、錠剤捕捉部５２０と、関節部５３０と、錠剤支持部５４０と、錠剤捕捉スイッチボタン５５０と、から構成される。
【００４５】
利用者が錠剤捕捉スイッチボタン５５０を押すと小型モータ５０２が駆動して、関節部５３０を動作させて、錠剤支持部５４０が錠剤８０１をつまむ。ここで、小型モータ５０２には、錠剤を破壊するほどの動力はなく、錠剤がつまめる程度でその動作を止める。
【００４６】
このとき、光源制御部５０５は照明部５０６を点灯させて、錠剤を照らして、カメラ５０６は、錠剤８０１の二次元コードを撮影する。ここで、照明部５０６は、複数の斜方方角から錠剤を照らすことで、レーザー刻印による溝に影を与えて明暗を浮き出させることが出来るので、画像処理による認識性能を高める。
カメラ５０６が撮影した二次元コードの画像データは、接続部５０９を経由して、利用端末装置７００に送信される。
【００４７】
ＬＥＤ制御部５０８は、利用端末装置７００から返信された評価の内容が偽造報告の場合には、ＬＥＤランプ５０１のうちで赤ランプを点滅させて、他方、返信された評価の内容が真正品報告の場合には、ＬＥＤランプ５０１のうちで青ランプを点滅させる。
【００４８】
従って、利用者は、青ランプが点灯することで、その錠剤が偽造品でないこと（真正品）を、容易に確認することができる。
【００４９】
図７は、ＰＴＰ包装物８００の説明図である。ＰＴＰ包装８００には、二次元コード８０３が記録されている。二次元コードは、ＰＴＰ包装を識別あるいは特定する情報を含む情報が符号化されている。なお、ＰＴＰ包装される錠剤８０１には、個体ＩＤを含む二次元コード８０２が記録されている。ＰＴＰ包装される錠剤８０１は、図７（a）に例示したように、個体ＩＤが露出しないように個体ＩＤ記録面を隠して包装してもよい。
【００５０】
ＰＴＰ包装を識別あるいは特定する情報と、錠剤８０１の個体ＩＤとは対応付けられている。従って、必要に応じて流通卸小売段階で、抜き取りチェックして偽造品が混入していないかを確認することができる。
【００５１】
図８には、複数のＰＴＰ８００が包装箱８１０に格納される例である。包装箱８１０には、箱特定情報が記録されている。
【００５２】
図９は、二次元コードを印刷した錠剤の例である。錠剤の表面には、一般的に、識別コード（＝製薬会社コードと製品コードの組み合わせ情報）が印刷されているので、錠剤の裏面に、個体ＩＤを含む二次元コード８０２を印刷する。二次元コード８０２は、インクジェット印刷、あるいは、レーザー刻印する。
【００５３】
なお、インクジェット印刷による二次元コード８０２では、食紅のような可食性インクを用いる。
【００５４】
レーザーで刻印する方式では、刻印した個体識別情報に、照明光を斜め方向から照射することで、刻印の明暗をはっきりと浮きださせて、カメラによる画像認識率が向上する。また、レーザーで刻印する方式では、錠剤がコーティングされていることが必要である。錠剤としてフィルムコート錠を利用することでレーザーでの熱によるダメージでレーザー表面が糖衣錠のように溶けて判別しにくくなることを抑止することが可能である。たとえば、ＣＯ２レーザーを用いて刻印するテストを実施したところ、特にフィルムコート錠においては、良好な印字結果が得られている。
【００５５】
なお、二次元コードの代わりに、バーコードを用いてもよい。
【００５６】
図１０は、錠剤販売処理のフローチャートである。
（１）錠剤販売端末装置３００の二次元コード読取手段３０５（第１の二次元コード読取手段）は、販売時にレジにて、包装箱８１０の二次元コード、もしくは、ＰＴＰの二次元コードを撮影する。（ステップＳ２０１）
（２）包装識別情報送信手段３５０は、撮影された二次元コードを復号して、Ｐ―ＩＤ３９１を生成して、錠剤識別サーバ装置１００に送信してする。Ｐ―ＩＤ391に基づいて生成した照合データ１９２と暗号キー情報１９７を含むＩＣカード記録情報１９４を受信する。（ステップＳ２０２）
（３）ＩＣカード記録手段３２０は、ＩＣカード６００に、受信した暗号キー情報１９７と照合データ１９２を含むＩＣカード記録情報を記録する。（ステップＳ２０３）
【００５７】
（実施例）
次に、真偽判定を錠剤識別サーバ装置１００（＝判定サーバ装置）で行う実施例を説明する。
【００５８】
図１１は、錠剤の偽造評価処理のフローチャートである。
（１）包装箱８１０の二次元コードを用いるか否かを決める。（ステップＳ４０１）
用いければ、次のステップに進む。
用いるのであれば、ステップＳ４０３に進む。
（２）ＰＴＰの二次元コードを用いるか否かを決める。（ステップＳ４０２）
用いければ、終了する。
用いるのであれば、ステップＳ４０４に進む。
（３）二次元コード読取手段７０５（第２の二次元コード読取手段）が包装箱８１０の二次元コードを撮影して、包装識別手段７５０は、Ｐ―ＩＤを復号してステップＳ４０５に進む。（ステップＳ４０３）
あるいは、二次元コードの値はキーボード入力してもよい。
（４）二次元コード読取手７０５（第２の二次元コード読取手段）がＰＴＰ８００の二次元コードを撮影して、包装識別手段７５０は、Ｐ―ＩＤを復号する。（ステップＳ４０４）
ここで、二次元コードの値はキーボード入力してもよい。
（５）ピンセット６００が錠剤の二次元コードを読み取り、二次元コード画像を利用端末装置７００に送信して、包装識別手段７６０は、Ｔ−ＩＤを復号する。（ステップＳ４０５）
（６）利用端末装置７００は、復号したＰ―ＩＤとＴ−ＩＤを、認証サーバ装置１５０に、送信する。して、評価を受信する。（ステップＳ４０６）
このとき、復号したＰ―ＩＤとＴ−ＩＤは、暗号化処理、あるいは、パディング処理を含んだ暗号化処理を行ってもよい。その場合に、暗号キー情報１９７や乱数生成情報１９８は、レシートや薬の説明資料に印刷して、利用者に、キーボード入力させてもよい。
（７）判定サーバ装置は、利用端末装置７００から受信したＰ―ＩＤとＴ−ＩＤの対応組み合わせが、記憶するＰ―ＩＤとＴ−ＩＤの対応組み合わせと一致するか否かを判定する。認証サーバ装置は、判定結果が、一致するもの無しであれば、偽造報告を含む評価を返信して、一致するものがあれば、真正品報告を含む評価を返信する。（ステップＳ４０７）（８）利用端末装置７００は、認証サーバ装置から返信された評価を受信して、その内容を表示する。（ステップＳ４０８）
返信された評価の内容が偽造報告の場合には、スピーカで警告音を鳴らしてもよい。
【図面の簡単な説明】
【００５９】
【図１】錠剤偽造判定システムの概要
【図２】錠剤識別サーバ装置１００の詳細な構成図
【図３】錠剤販売端末装置３００の詳細な構成図
【図４】利用者端末７００の詳細な構成図
【図５】ＩＣカード６００の詳細な構成図
【図６】錠剤検査器（ピンセット）５００の詳細な構成図
【図７】ＰＴＰ包装物８００
【図８】複数のＰＴＰ８００が包装箱８１０に格納される例
【図９】二次元コードを印刷した錠剤の例
【図１０】錠剤販売処理のフローチャート
【図１１】錠剤の偽造評価処理のフローチャート
【符号の説明】
【００６０】
１  錠剤偽造判定システム
１００  錠剤識別サーバ装置
１１０  暗号化手段、第１の暗号化手段
１２０  ＩＣカード記録情報返信手段
１３０  パディング手段
１４０  乱数生成手段
１５０  包装識別情報受信手段
１９１  Ｐ―ＩＤ
１９３  Ｔ−ＩＤ
１９５  対応データ
１９７  暗号キー情報
１９８  乱数生成情報
３００  錠剤販売端末装置
３２０  ＩＣカード記録手段
３５０  包装識別情報送信手段
５００  錠剤検査器、ピンセット
５０１  ＬＥＤ
５０２  小型モータ（関節制御部）
５０３  回転伝達部
５０５  光源制御部
５０６  照明部
５０７  カメラ
５０８  ＬＥＤ制御部
５０９  接続部（信号・電源）
５２０  錠剤捕捉部
５３０  関節部
５４０  錠剤支持部
５５０  錠剤捕捉スイッチボタン
６００  ＩＣカード
６１０  暗号化手段、第２の暗号化手段
６３０  パディング手段
６４０  乱数生成手段
７００  利用端末装置
７１０  暗号化手段
７２０  ＩＣカード記録情報読取手段
７３０  パディング手段
７４０  乱数生成手段
７５０  包装識別手段
７６０  個体識別手段
７７０  判定手段
【図１】
2008282274.tif 000003
【図２】
2008282274.tif 000004
【図３】
2008282274.tif 000005
【図４】
2008282274.tif 000006
【図５】
2008282274.tif 000007
【図６】
2008282274.tif 000008
【図７】
2008282274.tif 000009
【図８】
2008282274.tif 000010
【図９】
2008282274.tif 000011
【図１０】
2008282274.tif 000012
【図１１】
2008282274.tif 000013